(57)【要約】【課題】受信した電子メールの重複／非重複を簡単かつ確実に判定し、かつ、重複判定された電子メールを削除することなくユーザの確認が可能な状態としつつ、良好な操作性が損なわれないように受信電子メールリストを表示して、容易に電子メールを管理する。【解決手段】携帯端末２ａの制御部は、電子メールの送信日時及び送信者の一致を調べるだけで、受信した電子メール同士の重複／非重複を判定する。重複非表示設定とすると、重複した電子メールが非表示とされ、同一の情報が羅列された無駄な表示が排除された状態で、受信電子メールリストが表示される。また、重複判定された電子メールは削除されず、重複許容表示設定に切り換えることによって、ユーザは、全ての重複電子メールの属性情報を表示させて確認することができる。【選択図】図１
2007193706.tif 000002
【特許請求の範囲】
【請求項１】
ネットワークを介して、電子メール送信端末から、所定の属性情報が付加された電子メールを受信し、受信した前記電子メールの前記属性情報をリスト表示するための表示手段を備えてなる電子メール受信端末であって、
前記属性情報に基づいて、受信した複数の前記電子メールのうち、重複電子メールを抽出する重複メール抽出手段と、前記重複メール抽出手段によって抽出された複数の前記重複電子メールのうち、少なくとも一件を残し、他の前記重複電子メールについて、前記表示手段に表示するリストから外して非表示とする表示制御手段とを備えてなる
ことを特徴とする電子メール受信端末。
【請求項２】
前記属性情報は、前記電子メールが送信されたときの送信日時情報と、前記電子メールの送信者情報と、前記電子メールの表題情報とのうち少なくとも１つを含むことを特徴とする請求項１記載の電子メール受信端末。
【請求項３】
前記所定の属性情報は前記送信日時情報を含み、前記重複メール抽出手段は、受信した前記電子メール同士の前記送信日時情報が略同一のとき、前記両電子メールは、互いに重複しているものと判定する重複判定手段を有してなることを特徴とする請求項１又は２記載の電子メール受信端末。
【請求項４】
前記重複判定手段は、受信した前記電子メール同士の前記送信日時情報が略同一であり、かつ、前記送信者情報が同一のとき、前記両電子メールは重複しているものと判定することを特徴とする請求項３記載の電子メール受信端末。
【請求項５】
前記重複判定手段は、受信した前記電子メール同士の前記送信日時情報が、略同一であり、かつ、前記送信者情報が所定の同一のグループに属するとき、重複しているものと判定することを特徴とする請求項３記載の電子メール受信端末。
【請求項６】
前記表示制御手段は、前記重複メール抽出手段によって抽出された複数の前記重複電子メールのうち、リスト表示から外して非表示とした前記重複電子メールの件数を、リスト表示された前記重複電子メールの前記属性情報に対応させて、前記表示手段に表示させることを特徴とする請求項１乃至５のいずれか１に記載の電子メール受信端末。
【請求項７】
前記重複メール抽出手段によって抽出された複数の前記重複電子メールのうち、少なくとも一件の前記重複電子メールを残して、他の前記重複電子メールについて、リスト表示から外して重複非表示とするか、又は重複を許容してリスト表示させるかを選択し設定するための設定手段を備えてなり、前記表示制御手段は、前記設定手段による重複非表示設定又は重複許容表示設定に基づいて、前記表示手段に、リスト表示させることを特徴とする請求項１乃至６のいずれか１に記載の電子メール受信端末。
【請求項８】
前記重複メール抽出手段は、前記設定手段によって、重複非表示とする設定が行われると、抽出処理を開始することを特徴とする請求項７記載の電子メール受信端末。
【請求項９】
前記重複メール抽出手段は、前記電子メールを受信すると抽出処理を開始することを特徴とする請求項１乃至７のいずれか１に記載の電子メール受信端末。
【請求項１０】
前記表示手段にリスト表示を要求するための操作手段を備えてなり、前記重複メール抽出手段は、前記操作手段によって、リスト表示が要求されると、抽出処理を開始することを特徴とする請求項１乃至７のいずれか１に記載の電子メール受信端末。
【請求項１１】
前記設定手段は、前記表示手段に表示され、重複非表示設定又は重複許容表示設定を行うためのアイコンを有してなることを特徴とする請求項７乃至１０のいずれか１に記載の電子メール受信端末。
【請求項１２】
ネットワークを介して、電子メール送信端末と電子メール受信端末とが接続され、電子メールの送受信を行うための電子メールシステムであって、
前記電子メール受信端末は、請求項１乃至１１のいずれか１に記載の電子メール受信端末からなることを特徴とする電子メールシステム。
【請求項１３】
ネットワークを介して、電子メール送信端末から、所定の属性情報が付加された電子メールを受信し、受信した前記電子メールの前記属性情報を表示手段にリスト表示させる電子メールリスト表示方法であって、
前記属性情報に基づいて、受信した複数の前記電子メールのうち、重複電子メールを抽出する重複メール抽出ステップと、前記重複メール抽出ステップで抽出された複数の前記重複電子メールのうち、少なくとも一件を残し、他の前記重複電子メールについて、前記表示手段に表示するリストから外して非表示とする表示制御ステップとを含む
ことを特徴とする電子メールリスト表示方法。
【請求項１４】
前記属性情報は、前記電子メールが送信されたときの送信日時情報と、前記電子メールの送信者情報と、前記電子メールの表題情報とのうち少なくとも１つを含むことを特徴とする請求項１３記載の電子メールリスト表示方法。
【請求項１５】
前記所定の属性情報は前記送信日時情報を含み、前記重複メール抽出ステップは、受信した前記電子メール同士の前記送信日時情報が略同一のとき、前記両電子メールは、互いに重複しているものと判定する重複判定ステップを含むことを特徴とする請求項１３又は１４記載の電子メールリスト表示方法。
【請求項１６】
前記重複判定ステップでは、受信した前記電子メール同士の前記送信日時情報が略同一であり、かつ、前記送信者情報が同一のとき、前記両電子メールは重複しているものと判定することを特徴とする請求項１５記載の電子メールリスト表示方法。
【請求項１７】
前記重複判定ステップでは、受信した前記電子メール同士の前記送信日時情報が、略同一であり、かつ、前記送信者情報が所定の同一のグループに属するとき、重複しているものと判定することを特徴とする請求項１５記載の電子メールリスト表示方法。
【請求項１８】
前記表示制御ステップでは、前記重複メール抽出ステップで抽出された複数の前記重複電子メールのうち、リスト表示から外して非表示とした前記重複電子メールの件数を、リスト表示された前記重複電子メールの前記属性情報に対応させて、前記表示手段に表示させることを特徴とする請求項１３乃至１７のいずれか１に記載の電子メールリスト表示方法。
【請求項１９】
前記重複メール抽出ステップで抽出された複数の前記重複電子メールのうち、少なくとも一件を残し、他の前記重複電子メールについて、リスト表示から外して重複非表示とするか、又は重複を許容してリスト表示させるかを選択し設定するための設定ステップを含み、前記表示制御ステップでは、前記設定ステップでの重複非表示設定又は重複許容表示設定に基づいて、前記表示手段に、リスト表示させることを特徴とする請求項１３乃至１８のいずれか１に記載の電子メールリスト表示方法。
【請求項２０】
前記重複メール抽出ステップでは、前記設定ステップで重複非表示とする設定が行われると、抽出処理を開始することを特徴とする請求項１９記載の電子メールリスト表示方法。
【請求項２１】
前記重複メール抽出ステップでは、前記電子メールを受信すると抽出処理を開始することを特徴とする請求項１３乃至１９のいずれか１に記載の電子メールリスト表示方法。
【請求項２２】
前記表示手段にリスト表示を要求するための操作ステップを含み、前記重複メール抽出ステップでは、前記操作ステップで、リスト表示が要求されると、抽出処理を開始することを特徴とする請求項１３乃至１９のいずれか１に記載の電子メールリスト表示方法。
【請求項２３】
前記設定ステップでは、前記表示手段に表示され、重複非表示設定又は重複許容表示設定を行うためのアイコンを用いることを特徴とする請求項１９乃至２２のいずれか１に記載の電子メールリスト表示方法。
【請求項２４】
コンピュータに請求項１３乃至２３のいずれか１に記載の電子メールリスト表示方法を実行させることを特徴とする電子メールリスト表示プログラム。
【発明の詳細な説明】
【技術分野】
【０００１】
この発明は、電子メール受信端末、電子メールシステム、電子メールリスト表示方法及び電子メールリスト表示プログラムに係り、ネットワークを介して送受信された電子メールのリスト表示機能を備え、例えば携帯電話機等の携帯端末からなる電子メール受信端末、電子メールシステム、電子メールリスト表示方法及び電子メールリスト表示プログラムに関する。
【背景技術】
【０００２】
電子メールは、既存の通信手段としての郵便や電話等に比べて、速報性及び同報性を同時に満たし、ファクシミリ等に比べて、例えば携帯電話機等の携帯端末を用いた場合には、移動中でも通信が可能であるなど、高い利便性や手軽さも有しているため、広く普及してきている。
携帯端末は、電子メールを他の携帯端末から受信した場合に、通信経路上の電子メールを中継するメールサーバに、受信完了通知を送信し、メールサーバは、この受信完了通知を受け取ることによって、当該電子メールを削除する。
【０００３】
しかしながら、携帯端末の圏外への移動や、ネットワーク障害等によって、携帯端末から送信された受信完了通知をメールサーバが受信できないことがあり、このときは、メールサーバは、所定の待機時間経過後、同一の電子メールを携帯端末へ再送信する。
このため、携帯端末は、重複した電子メールのチェックを実施している。すなわち、電子メールの全文を解析して重複の判定を行なうと、制御部（ＣＰＵ）の計算量が増大化して、例えば、受信機能に悪影響が出るため、メールサーバによって電子メールに割り当てられたパケット番号を所定の保持時間保持し、受信した電子メール同士のパケット番号を比較することによって、重複した電子メールをチェックしている。
【０００４】
しかしながら、所定の保持時間が過ぎて、受信メールリストが更新されると、携帯端末は、図１３に示すように、表示部１０１において、重複した表示を行うことがある。
重複した電子メールが多くなると、多数の同一の情報が羅列された状態で表示部１０１の表示画面が占有され、この無駄な表示により、限られた表示領域が実質的に狭められることとなると共に、本来探したい電子メールの検索操作を迅速に行なうことができなくなる等電子メールの管理が煩雑になる。また、ユーザの個人情報としての電子メールを安易に削除することは避けなければならない。
【０００５】
なお、メモリ資源の有効活用を目的として、予め、検索条件を設定しておいて、受信後、不要と判断した電子メールを自動的に削除したり、転送する技術が提案されている（例えば、特許文献１参照。）。この技術では、例えば、検索条件として、送信者名を設定しておき、新規に受信した電子メールの送信者が予め設定した者と一致した場合に、その電子メールを削除する。
しかしながら、この技術を電子メールリストの重複表示を避けるために適用しようとしても、重複の判定を簡単に行うことが依然として難しい。また、重複していると判定した電子メールをユーザの確認なく削除してしまうこととなるので、電子メールを誤判定により削除してしまった場合に、取返しがつかなくなってしまう。
【特許文献１】特開２００５−５６２３３号公報
【発明の開示】
【発明が解決しようとする課題】
【０００６】
解決しようとする問題点は、上記従来技術では、受信した電子メールの重複／非重複を簡単かつ確実に判定し、かつ、電子メールリストの重複表示を防止することが困難である点である。
このため、受信電子メールリストを見ながら検索するような場合に、良好な操作性が得られない。
【０００７】
この発明は、上述の事情に鑑みてなされたもので、受信した電子メールの重複／非重複を簡単かつ確実に判定し、かつ、重複判定された電子メールを削除することなくユーザの確認が可能な状態としつつ、良好な操作性が損なわれないように受信電子メールリストを表示して、容易に電子メールを管理することができる電子メール受信端末、電子メールシステム、電子メールリスト表示方法及び電子メールリスト表示プログラムを提供することを目的としている。
【課題を解決するための手段】
【０００８】
上記課題を解決するために、請求項１記載の発明は、ネットワークを介して、電子メール送信端末から、所定の属性情報が付加された電子メールを受信し、受信した上記電子メールの上記属性情報をリスト表示するための表示手段を備えてなる電子メール受信端末に係り、上記属性情報に基づいて、受信した複数の上記電子メールのうち、重複電子メールを抽出する重複メール抽出手段と、上記重複メール抽出手段によって抽出された複数の上記重複電子メールのうち、少なくとも一件を残し、他の上記重複電子メールについて、上記表示手段に表示するリストから外して非表示とする表示制御手段とを備えてなることを特徴と  している。
ここで、「重複」は、電子メール同士の内容が、類似している場合を含む広い概念を意味する。
【０００９】
また、請求項２記載の発明は、請求項１記載の電子メール受信端末に係り、上記属性情報は、上記電子メールが送信されたときの送信日時情報と、上記電子メールの送信者情報と、上記電子メールの表題情報とのうち少なくとも１つを含むことを特徴としている。
【００１０】
また、請求項３記載の発明は、請求項１又は２記載の電子メール受信端末に係り、上記所定の属性情報は上記送信日時情報を含み、上記重複メール抽出手段は、受信した上記電子メール同士の上記送信日時情報が略同一のとき、上記両電子メールは、互いに重複しているものと判定する重複判定手段を有してなることを特徴としている。
【００１１】
また、請求項４記載の発明は、請求項３記載の電子メール受信端末に係り、上記重複判定手段は、受信した上記電子メール同士の上記送信日時情報が略同一であり、かつ、上記送信者情報が同一のとき、上記両電子メールは重複しているものと判定することを特徴としている。
【００１２】
また、請求項５記載の発明は、請求項３記載の電子メール受信端末に係り、上記重複判定手段は、受信した上記電子メール同士の上記送信日時情報が、略同一であり、かつ、上記送信者情報が所定の同一のグループに属するとき、重複しているものと判定することを特徴としている。
【００１３】
また、請求項６記載の発明は、請求項１乃至５のいずれか１に記載の電子メール受信端末に係り、上記表示制御手段は、上記重複メール抽出手段によって抽出された複数の上記重複電子メールのうち、リスト表示から外して非表示とした上記重複電子メールの件数を、リスト表示された上記重複電子メールの上記属性情報に対応させて、上記表示手段に表示させることを特徴としている。
【００１４】
また、請求項７記載の発明は、請求項１乃至６のいずれか１に記載の電子メール受信端末に係り、上記重複メール抽出手段によって抽出された複数の上記重複電子メールのうち、少なくとも一件の上記重複電子メールを残して、他の上記重複電子メールについて、リスト表示から外して重複非表示とするか、又は重複を許容してリスト表示させるかを選択し設定するための設定手段を備えてなり、上記表示制御手段は、上記設定手段による重複非表示設定又は重複許容表示設定に基づいて、上記表示手段に、リスト表示させることを特徴としている。
【００１５】
また、請求項８記載の発明は、請求項７記載の電子メール受信端末に係り、上記重複メール抽出手段は、上記設定手段によって、重複非表示とする設定が行われると、抽出処理を開始することを特徴としている。
【００１６】
また、請求項９記載の発明は、請求項１乃至７のいずれか１に記載の電子メール受信端末に係り、上記重複メール抽出手段は、上記電子メールを受信すると抽出処理を開始することを特徴としている。
【００１７】
また、請求項１０記載の発明は、請求項１乃至７のいずれか１に記載の電子メール受信端末に係り、上記表示手段にリスト表示を要求するための操作手段を備えてなり、上記重複メール抽出手段は、上記操作手段によって、リスト表示が要求されると、抽出処理を開始することを特徴としている。
【００１８】
また、請求項１１記載の発明は、請求項７乃至１０のいずれか１に記載の電子メール受信端末に係り、上記設定手段は、上記表示手段に表示され、重複非表示設定又は重複許容表示設定を行うためのアイコンを有してなることを特徴としている。
【００１９】
また、請求項１２記載の発明は、ネットワークを介して、電子メール送信端末と電子メール受信端末とが接続され、電子メールの送受信を行うための電子メールシステムに係り、上記電子メール受信端末は、請求項１乃至１１のいずれか１に記載の電子メール受信端末からなることを特徴としている。
【００２０】
また、請求項１３記載の発明は、ネットワークを介して、電子メール送信端末から、所定の属性情報が付加された電子メールを受信し、受信した上記電子メールの上記属性情報を表示手段にリスト表示させる電子メールリスト表示方法に係り、上記属性情報に基づいて、受信した複数の上記電子メールのうち、重複電子メールを抽出する重複メール抽出ステップと、上記重複メール抽出ステップで抽出された複数の上記重複電子メールのうち、少なくとも一件を残し、他の上記重複電子メールについて、上記表示手段に表示するリストから外して非表示とする表示制御ステップとを含むことを特徴としている。
【００２１】
また、請求項１４記載の発明は、請求項１３記載の電子メールリスト表示方法に係り、上記属性情報は、上記電子メールが送信されたときの送信日時情報と、上記電子メールの送信者情報と、上記電子メールの表題情報とのうち少なくとも１つを含むことを特徴としている。
【００２２】
また、請求項１５記載の発明は、請求項１３又は１４記載の電子メールリスト表示方法に係り、上記所定の属性情報は上記送信日時情報を含み、上記重複メール抽出ステップは、受信した上記電子メール同士の上記送信日時情報が略同一のとき、上記両電子メールは、互いに重複しているものと判定する重複判定ステップを含むことを特徴としている。
【００２３】
また、請求項１６記載の発明は、請求項１５記載の電子メールリスト表示方法に係り、上記重複判定ステップでは、受信した上記電子メール同士の上記送信日時情報が略同一であり、かつ、上記送信者情報が同一のとき、上記両電子メールは重複しているものと判定することを特徴としている。
【００２４】
また、請求項１７記載の発明は、請求項１５記載の電子メールリスト表示方法に係り、上記重複判定ステップでは、受信した上記電子メール同士の上記送信日時情報が、略同一であり、かつ、上記送信者情報が所定の同一のグループに属するとき、重複しているものと判定することを特徴としている。
【００２５】
また、請求項１８記載の発明は、請求項１３乃至１７のいずれか１に記載の電子メールリスト表示方法に係り、上記表示制御ステップでは、上記重複メール抽出ステップで抽出された複数の上記重複電子メールのうち、リスト表示から外して非表示とした上記重複電子メールの件数を、リスト表示された上記重複電子メールの上記属性情報に対応させて、上記表示手段に表示させることを特徴としている。
【００２６】
また、請求項１９記載の発明は、請求項１３乃至１８のいずれか１に記載の電子メールリスト表示方法に係り、上記重複メール抽出ステップで抽出された複数の上記重複電子メールのうち、少なくとも一件を残し、他の上記重複電子メールについて、リスト表示から外して重複非表示とするか、又は重複を許容してリスト表示させるかを選択し設定するための設定ステップを含み、上記表示制御ステップでは、上記設定ステップでの重複非表示設定又は重複許容表示設定に基づいて、上記表示手段に、リスト表示させることを特徴としている。
【００２７】
また、請求項２０記載の発明は、請求項１９記載の電子メールリスト表示方法に係り、上記重複メール抽出ステップでは、上記設定ステップで重複非表示とする設定が行われると、抽出処理を開始することを特徴としている。
【００２８】
また、請求項２１記載の発明は、請求項１３乃至１９のいずれか１に記載の電子メールリスト表示方法に係り、上記重複メール抽出ステップでは、上記電子メールを受信すると抽出処理を開始することを特徴としている。
【００２９】
また、請求項２２記載の発明は、請求項１３乃至１９のいずれか１に記載の電子メールリスト表示方法に係り、上記表示手段にリスト表示を要求するための操作ステップを含み、上記重複メール抽出ステップでは、上記操作ステップで、リスト表示が要求されると、抽出処理を開始することを特徴としている。
【００３０】
また、請求項２３記載の発明は、請求項１９乃至２２のいずれか１に記載の電子メールリスト表示方法に係り、上記設定ステップでは、上記表示手段に表示され、重複非表示設定又は重複許容表示設定を行うためのアイコンを用いることを特徴としている。
【００３１】
また、請求項２４記載の発明に係る電子メールリスト表示プログラムは、コンピュータに請求項１３乃至２３のいずれか１に記載の電子メールリスト表示方法を実行させることを特徴としている。
【発明の効果】
【００３２】
この発明の構成によれば、重複メール抽出手段が、属性情報に基づいて、受信した複数の電子メールのうち、重複電子メールを抽出し、表示制御手段が、重複メール抽出手段によって抽出された複数の重複電子メールのうち、少なくとも一件を残し、他の重複電子メールについて、表示手段に表示するリストから外して非表示とするので、受信した電子メールから重複電子メールを、簡単かつ確実に抽出し、かつ、重複電子メールを削除することなく非表示とし、ユーザの確認が可能な状態としつつ、良好な操作性が損なわれないように受信した電子メールリストを表示して、容易に電子メールを管理することができる。
【発明を実施するための最良の形態】
【００３３】
重複メール抽出手段が、属性情報に基づいて、受信した複数の電子メールのうち、重複電子メールを抽出し、表示制御手段が、重複メール抽出手段によって抽出された複数の重複電子メールのうち、少なくとも一件を残し、他の重複電子メールについて、表示手段に表示するリストから外して非表示とすることによって、受信した電子メールから重複電子メールを、簡単かつ確実に抽出し、かつ、重複電子メールを削除することなく非表示とし、ユーザの確認が可能な状態としつつ、良好な操作性が損なわれないように受信した電子メールリストを表示して、容易に電子メールを管理するという目的を実現した。
【実施例１】
【００３４】
図１は、この発明の第１の実施例である電子メールシステムの構成を示す図、図２は、同電子メールシステムの携帯端末の構成を示すブロック図、図３は、同携帯端末の記憶部の構成を示すブロック図、図４は、同電子メールシステムの通信管理センタの構成を示すブロック図、図５は、同通信管理センタの情報管理サーバ、メールサーバ及び接続処理サーバの構成を示すブロック図、図６乃至図８は、同携帯端末の動作を説明するためのフローチャート、また、図９及び図１０は、同携帯端末の動作を説明するための説明図である。
【００３５】
この例の電子メールシステム１は、図１に示すように、ユーザＡ，Ｂ，…が用いる携帯電話機等の携帯端末２ａ，２ｂ，…と、携帯端末２ａ，２ｂ，…が接続可能な移動通信網３とを備えてなり、移動通信網３は、移動通信事業者Ｘが管理する通信管理センタ４を介して、インターネット５に接続可能とされている。
例えば、携帯端末２ｂ（２ｃ，２ｄ，…）から送信されたユーザＡ宛ての電子メールは、通信管理センタ４を経由し、最寄の基地局を介して携帯端末２ａに供給される。
【００３６】
携帯端末２ａ（２ｂ，２ｃ，…）は、通話機能のほか、例えば電子メールの送受信やインターネットに接続してホームページの閲覧が可能なデータ通信機能を有し、図２に示すように、当該携帯端末本体の構成各部を制御する制御部１１ａ（１１ｂ，１１ｃ，…）と、制御部１１ａ（１１ｂ，１１ｃ，…）が実行する処理プログラムや各種データ等を記憶するための記憶部１２ａ（１２ｂ，１２ｃ，…）と、アンテナ１３ａ（１３ｂ，１３ｃ，…）を介して無線電波の送受信を行い、所定のプロトコルに従って通話やデータ通信を行うために用いられる無線通信部１４ａ（１４ｂ，１４ｃ，…）と、例えば、受信した電子メールやホームページの内容、待受画面、機能設定画面等が表示される表示部１５ａ（１５ｂ，１５ｃ，…）と、数字や文字の入力操作等を行うための多数の各種操作キー等からなる操作部１６ａ（１６ｂ，１６ｃ，…）と、送話音声を入力するマイクロフォンからなる送話部１７ａ（１７ｂ，１７ｃ，…）と、受話音声を出力するスピーカからなる受話部１８ａ（１８ｂ，１８ｃ，…）とから概略構成されている。なお、この例では、表示部１５ａ（１５ｂ，１５ｃ，…）は、表示機能と共に、操作機能の一部も兼ね備えている。
【００３７】
制御部１１ａ（１１ｂ，１１ｃ，…）は、ＣＰＵ（中央処理装置）等を有してなり、メーラやブラウザ等の記憶部１２ａ（１２ｂ，１２ｃ，…）に記憶された各種制御プログラムを実行し、携帯端末本体の構成各部を制御する。
記憶部１２ａ（１２ｂ，１２ｃ，…）は、ＲＯＭ、ＲＡＭ等の半導体メモリ等からなり、制御部１１ａ（１１ｂ，１１ｃ，…）が実行する各種プログラムや、各種情報等が記憶される。
【００３８】
記憶部１２ａ（１２ｂ，１２ｃ，…）は、図３に示すように、各種制御プログラム等が記憶されたプログラム記憶部２１ａ（２１ｂ，２１ｃ，…）と、受信及び送信した電子メールに関する情報や設定情報等の各種情報が記憶された情報記憶部２２ａ（２２ｂ，２２ｃ，…）とを有してなっている。
この例では、プログラム記憶部２１ａ（２１ｂ，２１ｃ，…）に記憶され、電子メールの作成及び送受信のために用いられるプログラムとしてのメーラは、通常の電子メールの作成や送受信のための処理プログラムに加えて、設定に応じて、重複した電子メールの受信メールリストへの表示／非表示を行うための処理プログラムを含んでいる。
【００３９】
プログラム記憶部２１ａ（２１ｂ，２１ｃ，…）は、図３に示すように、メール操作制御プログラムが記憶されたメール操作制御プログラム記憶領域２３ａ（２３ｂ，２３ｃ，…）と、非表示メール抽出プログラムが記憶された非表示メール抽出プログラム記憶領域２４ａ（２４ｂ，２４ｃ，…）と、メールリスト表示データ作成処理プログラムが記憶されたメールリスト表示データ作成処理プログラム記憶領域２５ａ（２５ｂ，２５ｃ，…）と、受信電子メールリスト表示プログラムが記憶された受信電子メールリスト表示プログラム記憶領域２６ａ（２６ｂ，２６ｃ，…）とを有している。
メール操作制御プログラムには、ユーザによって、操作部１６ａを介して、受信電子メールリストの重複非表示又は重複許容表示が選択されると、設定情報として、表示可否設定情報記憶領域３３ａ（３３ｂ，３３ｃ，…）に記憶させるための手順等が記述されている。
【００４０】
非表示メール抽出プログラムには、新規に受信した電子メールのヘッダに含まれる属性情報としての送信日時情報（送信時刻）及び送信者情報を取り出し、保存されている受信済の電子メールのなかで送信日時情報が同一時刻（秒単位）の電子メールがあるか否か検索するための手順と、新規受信の電子メールと、同一時刻の受信済の電子メールが有る場合に、新規受信の電子メールと同一時刻の受信済の電子メールのうち、送信者が新規受信の電子メールと同一の電子メールがあるか否か検索するための手順と、送信者が新規受信の電子メールと同一の電子メールがある場合に、新規受信の電子メールを非表示データとして登録すると共に非表示データ数を前回の値に対してインクリメントされた値に更新するための手順等とが記述されている。なお、この例では、送信日時情報として、メールサーバ４２からの送信時刻を含んでいる。
【００４１】
受信電子メールリスト表示プログラムには、重複非表示設定がなされているか判断する手順と、重複非表示設定されていない場合には、重複許容メールリストを表示部１５ａ（１５ｂ，１５ｃ，…）に表示させる一方、重複非表示設定されていない場合には、保存されている受信済の電子メールのうち、非表示対象でない電子メールについて、非表示データ数を含めてリスト表示させるための手順等が記述されている。
【００４２】
情報記憶部２２ａ（２２ｂ，２２ｃ，…）は、メール情報記憶領域として、受信済みの電子メールを記憶する受信済フォルダ領域２７ａ（２７ｂ，２７ｃ，…）と、送信済みの電子メールを記憶する送信済フォルダ領域２８ａ（２８ｂ，２８ｃ，…）と、通常の重複許容メールリストを記憶する通常受信メールリスト記憶領域２９ａ（２９ｂ，２９ｃ，…）と、非重複受信メールリストを記憶する非重複受信メールリスト記憶領域３１ａ（３１ｂ，３１ｃ，…）と、設定情報記憶領域３２ａ（３２ｂ，３２ｃ，…）とを有している。
【００４３】
また、設定情報記憶領域３２ａ（３２ｂ，３２ｃ，…）は、重複非表示（フラグＯＮ）／重複許容表示（フラグＯＦＦ）の設定情報（設定フラグ）を記憶された表示可否設定情報記憶領域３３ａ（３３ｂ，３３ｃ，…）と、受信した電子メールについて重複判定を行なうための重複判定基準情報（この例では、同一時刻及び同一送信者）が記憶された重複判定基準情報記憶領域３４ａ（３４ｂ，３４ｃ，…）とを有している。
【００４４】
表示部１５ａ（１５ｂ，１５ｃ，…）は、液晶ディスプレイ等からなり、文字や画像を表示するために用いられ、例えば、通信管理センタ４を介して受け取った電子メールの内容やメールリスト、設定画面、メッセージ等を表示する。
通信管理センタ４は、図４に示すように、ユーザ情報等を管理する情報管理サーバ４１と、例えば携帯端末２ａ（２ｂ，２ｃ，…）から送信されてきた電子メールや携帯端末２ａ（２ｂ，２ｃ，…）へ送信された電子メールを蓄積し管理するメールサーバ４２と、移動通信網３を例えばインターネット５に接続するための接続処理サーバ４３とを有している。
【００４５】
情報管理サーバ４１（メールサーバ４２、接続処理サーバ４３）は、図５に示すように、ＣＰＵ等からなり、記憶部４５（４９，５４）に記憶された所定の制御プログラムに従って構成各部を制御する制御部４４（４８，５３）と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部４４（４９，５４）と、所定のプロトコルに従ってデータ通信を行うための通信部４６（５１，５５）と、例えばキーボードやマウス等からなり、各種の指令や必要な情報を入力するために用いられる操作部４７（５２，５６）とを有している。
情報管理サーバ４１の記憶部４５には、各携帯端末２ａ（２ｂ，２ｃ，…）の現在位置情報や、各ユーザＡ（Ｂ，Ｃ，…）の加入者番号及び課金情報を含むユーザ情報等が常時更新された状態で記憶されている。
【００４６】
次に、図６乃至図１０を参照して、上記構成の携帯端末の動作について説明する。
例として、携帯端末２ａへ、他の携帯端末２ｂ，２ｃ，…から電子メールが送信される場合について説明する。
ユーザＡは、予め、図９に示すように、表示部１５ａに受信メールリスト重複表示可否設定画面を表示させ、重複非表示又は重複許容表示の設定をしておく。
制御部１１ａは、操作部１６ａを介して、受信電子メールリストの重複非表示又は重複許容表示が選択されると、重複非表示設定と重複許容表示設定とのうちいずれか一方の設定情報を、表示可否設定情報記憶領域３３ａに記憶させる。
【００４７】
制御部１１ａは、メールサーバ４２を介して、携帯端末２ｂ（２ｃ，２ｄ，…）から電子メールを受信すると、受信した電子メールを記憶部１２ａの受信済フォルダ領域２７ａに保存させる。
次に、制御部１１ａは、リスト表示要求操作があったか否か判断する（ステップＳＡ１１（図６））。ここで、リスト表示要求操作があった場合には、ステップＳＡ１２へ進み、リスト表示要求操作がない場合には待機する。
次に、制御部１１ａは、ステップＳＡ１２で、重複非表示設定がなされているか否か判断する。重複非表示設定がなされている場合は、ステップＳＡ１３へ進み、重複許容表示設定とされている場合には、ステップＳＡ１５へ進む。
【００４８】
次に、制御部１１ａは、ステップＳＡ１３で、リストデータの更新の要否を判断する。すなわち、前回作成した後に、新規に電子メールを受信したか否か調べる。リストデータの更新が必要な場合は、ステップＳＡ１４へ進み、更新が不要な場合は、ステップＳＡ１６へ進む。
次に、制御部１１ａは、ステップＳＡ１４で、後に詳述する非表示メール抽出処理を行う。次に、制御部１１ａは、リスト表示データ作成処理を行う（ステップＳＡ１５）。
【００４９】
次に、制御部１１ａは、後に詳述する受信電子メールリスト表示処理を行い（ステップＳＡ１６）、図１０に示すように、受信電子メールリストを表示部１５ａに表示させる。ここで、重複非表示設定時には、重複している複数の電子メールについては、これらの電子メールのうち１件のみ、その属性情報がリスト表示され、他の電子メールの属性情報は非表示とされる。
【００５０】
次に、制御部１１ａは、リスト表示終了操作が行れたか否か判断する（ステップＳＡ１７）。制御部１１ａは、リスト表示終了操作が行われたと判断した場合には、ステップＳＡ１８へ進み、行われていないと判断した場合には、ステップＳＡ１６へ戻る。
次に、制御部１１ａは、電源キーがオフ操作されたか否か判断する（ステップＳＡ１８）。制御部１１ａは、電源キーがオフ操作されていないと判断した場合には、ステップＳＡ１１へ戻り、電源キーがオフ操作されたと判断した場合には、処理を終了する。
【００５１】
次に、非表示メール抽出処理について詳述する。
制御部１１ａは、新規に受信した電子メールのヘッダに含まれる属性情報としての送信日時情報及び送信者情報を取り出す（ステップＳＢ１１（図７））。ここで、送信日時情報は、メールサーバ４２からの送信時の年月日及び時分秒を含んでいる。
次に、制御部１１ａは、保存されている受信済の電子メールのなかで送信日時が同一（秒単位）の電子メールがあるか否か検索する（ステップＳＢ１２）。
【００５２】
制御部１１ａは、ステップＳＢ１２で、新規受信の電子メールと、同一時刻（秒単位）の受信済の電子メールが有ると判断した場合には、ステップＳＢ１３へ進み、新規受信の電子メールと同一時刻の受信済の電子メールのうち、送信者が新規受信の電子メールと同一の電子メールがあるか否か検索する。
なお、制御部１１ａは、ステップＳＢ１２で、新規受信の電子メールと、同一時刻の受信済の電子メールがないと判断した場合には、メインルーチンへ戻る。
【００５３】
制御部１１ａは、ステップＳＢ１３で、送信者が新規受信の電子メールと同一の電子メールがあると判断した場合に、ステップＳＢ１４で、新規受信の電子メールを非表示データとして登録すると共に、ステップＳＢ１５で、非表示データ数を前回の値に対してインクリメントされた値に更新する。
なお、制御部１１ａは、ステップＳＢ１３で、送信者が新規受信の電子メールと同一の電子メールがないと判断した場合には、メインルーチンへ戻る。
【００５４】
次に、受信電子メールリスト表示処理について詳述する。
制御部１１ａは、重複非表示設定がなされているか判断する（ステップＳＣ１１（図８））。
制御部１１ａは、重複非表示設定されていないと判断した場合には、ステップＳＣ１２へ進み、重複許容メールリストを表示させ、メインルーチンへ戻る。一方、重複非表示設定されていると判断した場合には、ステップＳＣ１３へ進み、保存されている受信済の電子メールに付した番号ｉを（ｉ＝１）として、ｉ番目の保存メールが、非表示対象か否か判断する（ステップＳＣ１４）。
【００５５】
制御部１１ａは、ステップＳＣ１４で、ｉ番目の保存メールが、非表示対象であると判断した場合には、ステップＳＣ１６へ進み、非表示対象でないと判断した場合には、ステップＳＣ１５へ進む。
制御部１１ａは、ステップＳＣ１５で、表示対象の電子メールについて、非表示データ数を含めて表示させる。
次に、制御部１１ａは、番号ｉをインクリメントして（ステップＳＣ１６）、番号ｉが全データ数（全保存メール件数）Ｎより大きいか否か判断し（ステップＳＣ１７）、番号ｉが全データ数Ｎ以下の場合には、ステップＳＣ１４へ戻り、番号ｉが全データ数Ｎを越えた場合には、メインルーチンへ戻る。
【００５６】
このように、この例の構成によれば、受信した電子メール間で送信日時及び送信者の一致を調べるだけで、受信した任意の電子メール同士の重複／非重複を判定できるので、制御部の計算量が増大化することがない。したがって、簡単、迅速、かつ、確実に、受信した電子メールの重複／非重複の判定を実施することができる。
また、重複非表示設定とすると、例えば、複数のメーリングリストを経由して受信された複数の重複メールが非表示とされ、同一の情報が羅列された無駄な表示が排除された状態で、受信電子メールリストが表示されるので、検索が簡単にできる等良好な操作性が得られ、容易に電子メールを管理することができる。
しかも、重複判定され、かつ、非表示対象の電子メールも削除されず、重複許容表示設定に切り換えることによって、ユーザは、全ての重複電子メールの属性情報を表示させて確認をすることができるので、万一、重複判定が誤りであっても、ユーザの確認なしに自動的に電子メールが削除されるような不具合を回避することができる。
【００５７】
また、送信日時と送信者とに基づいて、電子メールの重複／非重複を判定し、ここで、重複非表示（フラグＯＮ）／重複許容表示（フラグＯＦＦ）の設定情報（設定フラグ）を用い、ユーザの設定操作によって、随時切換えが可能とされているので、電子メールの重複／非重複の判定のためにパケット番号を用いる必要がなく、パケット番号の保持時間を計時するためのタイマ及び管理プログラムを必要としない。このため、バッテリの消費電力を低減することができる。
【００５８】
また、重複メール非表示設定で、非表示件数が画面表示されるので、ユーザに注意を喚起し、非表示の電子メールの存在を報知することができる。これによって、ユーザに、現在非表示の電子メールの内容の確認を促すことができる。さらに、ユーザは、例えば、非表示件数が比較的多数の場合等に悪戯を想定して、所謂、迷惑メールやジャンクメールに対して速やかに対処することができる。
【実施例２】
【００５９】
図１１は、この発明の第２の実施例である携帯端末の動作を説明するための説明図である。
この例が上述した第１の実施例と大きく異なるところは、設定画面を表示させて、予め、重複非表示／重複許容表示の設定を行わせたのに対して、表示部に表示されるリスト表示画面上に、表示／非表示切換スイッチを配置し、自在に切換可能なように構成した点である。
これ以外の構成は、上述した第１の実施例の構成と略同一であるので、その説明を簡略する。
【００６０】
この例の携帯端末では、図１１に示すように、表示部５１のリスト表示画面上に、表示／非表示切換スイッチ５２が配置される。この表示／非表示切換スイッチ５２の選択操作によって、自在に表示／非表示の切換が行われる。
この携帯端末の記憶部に記憶されたメール操作制御プログラムには、ユーザによって、表示／非表示切換スイッチ５２の選択操作によって、受信電子メールリストの重複非表示又は重複許容表示が選択されると、設定情報として、表示可否設定情報記憶領域３３ａ（３３ｂ，３３ｃ，…）に記憶させるための手順等が記述されている。
【００６１】
この例の構成によれば、上述した第１の実施例と略同様の効果を得ることができる。
加えて、表示／非表示切換スイッチ５２によって、表示／非表示の設定操作とリスト表示要求操作とを、同一のキーを用いて同時に行うので、表示／非表示の切換操作を簡単かつ迅速に行うことができる。
【実施例３】
【００６２】
この例が上述した第１の実施例と大きく異なるところは、表示要求操作後に受信メールリストを作成したのに対して、着信後に、リスト表示要求操作の有無及び設定状態にかかわらず、例えば、重複非表示用及び重複許容表示用の受信メールリストを作成するように構成した点である。
これ以外の構成は、上述した第１の実施例の構成と略同一であるので、その説明を省略する。
【００６３】
この例の構成によれば、上述した第１の実施例と略同様の効果を得ることができる。
加えて、着信後に、表示／非表示の切換操作を簡単かつ迅速に行うことができる。
【実施例４】
【００６４】
図１２は、この発明の第４の実施例である携帯端末の動作を説明するための説明図である。
この例が上述した第１の実施例と大きく異なるところは、表示部に表示されたリスト表示画面上の非表示件数を選択することによって、対応する電子メールの重複リストを表示するように構成した点である。
これ以外の構成は、上述した第１の実施例の構成と略同一であるので、その説明を簡略にする。
【００６５】
この例の携帯端末では、図１２に示すように、表示部６１のリスト表示画面上に表示された非表示件数６２にカーソルを合わせて選択操作することによって、この件数分の非表示データを含めて対応する電子メールのみ全重複リストが表示される。
【００６６】
この例の構成によれば、上述した第１の実施例と略同様の効果を得ることができる。
加えて、非表示データを簡単に確認することができる。
【実施例５】
【００６７】
この例が上述した第１の実施例と大きく異なるところは、例えば、電源投入直後のユーザによる入力操作や着信を待機する待受画面上に、選択操作されることによって、受信メールリストの重複非表示又は重複許容表示を行うための表示／非表示表示切換スイッチをアイコン表示するように構成した点である。
これ以外の構成は、上述した第１の実施例の構成と略同一であるので、その説明を省略する。
【００６８】
この例の構成によれば、上述した第１の実施例と略同様の効果を得ることができる。
加えて、表示／非表示の切換操作を一段と簡単かつ迅速に行うことができる。
【００６９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、ネットワークとして、移動通信網を用いて、この移動通信網を経由して、電子メールの送受信を行う場合について述べたが、もちろん、固定網を含めた場合にも、また、固定網のみの場合にも適用できるし、インターネットに接続する場合にも、接続しない場合にも適用できる。また、公衆回線に限らず、専用回線を含む場合にも適用できる。
【００７０】
また、送信側及び受信側の携帯端末で共に、電子メールの送受信機能等を有する場合について述べたが、例えば、受信側の携帯端末として、電子メールの送信機能等を有さない電子メール受信機能のみを有する携帯端末を用いる場合にも、適用することができる。
また、例えば、非表示メール抽出処理や、メールリスト表示データ作成処理、受信電子メールリスト表示処理を、制御部が制御プログラムを実行することによって行う場合について述べたが、上記機能の一部又は全部をハードウェアによって、実現させるようにしても良い。また、制御部は、複数のＣＰＵから構成されていても良い。
また、メールサーバは、単数とは限らず複数設けても良いし、また、集中させて配置しても、ネットワーク上に分散させて配置しても良い。
【００７１】
また、同一時刻及び同一送信者の場合に、重複メールと見なして非表示とする場合について述べたが、例えば、予め設定したグループが同一である場合に、同一時刻で非表示とするようにしても良い。
また、同一時刻の電子メールを、一旦、非表示として、確認要とし、ユーザに後の確認を促すようにしても良い。これにより、表示画面を有効に用いることができる。また、リスト表示要求操作後に、設定画面を表示させて設定を促すようにしても良い。
また、時刻情報としては、電子メールがメールサーバから送信された時刻に限らず、電子メールの送信元としての携帯端末から送信された時刻や、転送時の時刻、受信時の受信時刻、送信者によって作成された電子メールの作成完了時刻等を用いても良い。
【００７２】
また、受信メールリスト表示をユーザの表示要求操作によらずに、例えば着信時に自動的に行うように構成しても良い。
また、重複判判定基準として、送信者名に代えて、送信者アドレスを用いるようにしても良い。
また、重複判定基準をユーザが選択可能なようにしても良い。また、判定基準毎に重複率（判定成功率）を求めるようにしても良い。また、制御部が、この重複率に基づいて、判定基準を自動的に選択するようにしても良い。
また、第１の実施例で、更新要否判定を省略しても良い。また、非表示の電子メールについて、受信の事実のみ記憶させるようにしても良い。また、比較的多数の重複した電子メールがある場合に、重複非表示設定で、表示対象を１つと限らず、２つ以上としても良い。
【産業上の利用可能性】
【００７３】
携帯端末としては、携帯電話機のほか、データ通信機能を有する簡易型携帯電話（ＰＨＳ）端末や、携帯情報端末（ＰＤＡ）、携帯型のコンピュータを用いる場合に適用できる。また、電子メール受信端末としては、携帯端末のほか、据置型のパーソナルコンピュータ等を用いる場合に適用できる。
【図面の簡単な説明】
【００７４】
【図１】この発明の第１の実施例である電子メールシステムの構成を示す図である。
【図２】同電子メールシステムの携帯端末の構成を示すブロック図である。
【図３】同携帯端末の記憶部の構成を示すブロック図である。
【図４】同電子メールシステムの通信管理センタの構成を示すブロック図である。
【図５】同通信管理センタの情報管理サーバ、メールサーバ及び接続処理サーバの構成を示すブロック図である。
【図６】同携帯端末の動作を説明するためのフローチャートである。
【図７】同携帯端末の動作を説明するためのフローチャートである。
【図８】同携帯端末の動作を説明するためのフローチャートである。
【図９】同携帯端末の動作を説明するための説明図である。
【図１０】同携帯端末の動作を説明するための説明図である。
【図１１】この発明の第２の実施例である携帯端末の動作を説明するための説明図である。
【図１２】この発明の第４の実施例である携帯端末の動作を説明するための説明図である。
【図１３】従来技術を説明するための説明図である。
【符号の説明】
【００７５】
１      電子メールシステム
２ａ      携帯端末（電子メール受信端末）
２ｂ，２ｃ，…      携帯端末（電子メール送信端末）
３      移動通信網（ネットワーク）
１１ａ，１１ｂ，…      制御部（重複メール抽出手段、表示制御手段、重複判定手段、設定手段の一部）
１２ａ，１２ｂ，…      記憶部
１５ａ，１５ｂ，…      表示部（表示手段）
１６ａ，１６ｂ，…      操作部（操作手段、設定手段の一部）
【図１】
2007193706.tif 000003
【図２】
2007193706.tif 000004
【図３】
2007193706.tif 000005
【図４】
2007193706.tif 000006
【図５】
2007193706.tif 000007
【図６】
2007193706.tif 000008
【図７】
2007193706.tif 000009
【図８】
2007193706.tif 000010
【図９】
2007193706.tif 000011
【図１０】
2007193706.tif 000012
【図１１】
2007193706.tif 000013
【図１２】
2007193706.tif 000014
【図１３】
2007193706.tif 000015